(57)【要約】      （修正有）【課題】係止、保持、収納位置、数量、サイズを自由に調整でき、壁への穴等の損傷や汚れを最小限にすることが可能な自由度の高い係止、保持、収納構造物を提供する。【解決手段】可撓性を有するシート部材である可撓性シート部材１０は係止ペア１７を設け、前記係止ペア１７は、前記可撓性シート部材１０に設けられたファスナー７０に設けられた2個のスライダーからなり、前記スライダーは、２個のスライダーがファスナー７０の開部を挟んで一組の前記係止ペア１７を成し、前記係止ペア１７が、一つのセットで連携あるいは連動して1または２以上の係止部材または保持部材１９を設けて保持機能を備え、前記１セット以上の係止ペア１７が、連携あるいは連動して設置アイテムを自由な位置に係止または保持可能であるという手段を取った。【選択図】図１
2019092951.tif 000002
【特許請求の範囲】
【請求項１】
可撓性を有するシート部材である可撓性シート部材１０は係止ペア１７を設け、前記係止ペア１７は、前記可撓性シート部材１０に設けられたファスナー７０に設けられた2個のスライダー７１からなり、前記スライダー７１は、2個のスライダー７１がファスナー７０の開部を挟んで一組の前記係止ペア１７を成し、前記係止ペア１７が、一つのセットで連携あるいは連動して1または2以上の係止部材または保持部材１９を設けて保持機能を備え、前記１セット以上の係止ペア１７が、連携あるいは連動して設置アイテム１８を自由な位置に係止または保持可能であることを特徴とする移動式係止構造１
【請求項２】
前記2個のスライダー７１からなる一組の係止ペア１７が連結可能な連結構造を備えていることを特徴とする請求項１に記載の移動式係止構造１
【請求項３】
前記連結構造が、一方のスライダー７１に設けられた凸部５６ともう一方のスライダー７１に設けられた穴部または凹部５７との嵌め合いまたは引掛けであることを特徴とする請求項２に記載の移動式係止構造１
【請求項４】
前記係止ペア１７が連結されている連結構造が、それぞれのスライダー７１のつまみ５９あるいはケース部５８に設けられた穴部または凹部５７と、凸部５６との嵌め合い、または引掛けによることを特徴とする請求項２または請求項３に記載の移動式係止構造１
【請求項５】
前記連結構造の凸部５６に抜け防止構造５５を設けたことを特徴とする請求項２から請求項４のいずれかに記載の移動式係止構造１
【請求項６】
前記つまみ５９が、左右あるいは上下に可動可能な遊びを有して備えられ、該つまみ５９の相手側との篏合時に、可動してずれることによって、抜け防止構造５５に引掛り、抜け防止になることを特徴とする請求項１から請求項５のいずれかに記載の移動式係止構造１
【請求項７】
前記2個のスライダー７１からなる一組の係止ペア１７が一体であることを特徴とする請求項１から請求項６のいずれかに記載の移動式係止構造１
【請求項８】
前記係止ペア１７が、連結部材２８を介してスライダー７１が連結されて係止ペア１７が構成されていることを特徴とする請求項１から請求項６のいずれかに記載の移動式係止構造１
【請求項９】
前記スライダー７１のつまみ５９が、係止部材または保持部材１９である、つまみホルダー７９であることを特徴とする請求項１から請求項８のいずれかに記載の移動式係止構造１
【請求項１０】
前記係止ペア１７のスライダー７１に設けられたつまみホルダー７９が、該係止ペア１７のそれぞれのスライダー７１に設けられた二つのつまみホルダー７９であって、前記二つのつまみホルダーで前記設置アイテム１８を挟持することを特徴とする請求項１から請求項９のいずれかに記載の移動式係止構造１
【請求項１１】
前記つまみホルダー７９が、鍵をかけることが可能であることを特徴とする請求項１から請求項１０のいずれかに記載の移動式係止構造１
【請求項１２】
前記つまみホルダー７９が、つまみ５９に着脱可能であることを特徴とする請求項１から請求項１１のいずれかに記載の移動式係止構造１
【請求項１３】
前記スライダー７１のつまみ５９において、該つまみ５９の回動方向が前記スライダー７１の進行方向に対して、平行または斜めであることを特徴とする請求項１から請求項１２のいずれかに記載の移動式係止構造１
【請求項１４】
前記スライダー７１のつまみ５９において、該つまみ５９の回動方向が２方向設けられることによって、該つまみ５９が自由な方向に倒れることが可能であることを特徴とする請求項１から請求項１３のいずれかに記載の移動式係止構造１
【請求項１５】
前記設置アイテム１８が収納構造物３０であることを特徴とする請求項１から請求項１４のいずれかに記載の移動式係止構造１
【請求項１６】
前記、設置アイテム１８が収納構造物３０であり、該収納構造物３０の一か所が、前記係止ペア１７のスライダー７１の1個に係止され、該収納構造物３０のもう一か所を前記係止ペア１７のもう一つのスライダー７１に係止され、前記係止ペア１７のそれぞれのスライダー７１の間に開口したファスナー７０の開口部であるシート開口部７２から前記収納構造物３０に、該収納構造物３０の反対側の前記可撓性シート部材１０面から物を入れることが可能であるシート開口部７２を設けたことを特徴とする請求項１から請求項１５のいずれかに記載の移動式係止構造１
【請求項１７】
前記収納構造物３０が、ポケットまたは容器であることを特徴とする請求項１５または請求項１６のいずれかに記載の移動式係止構造１
【請求項１８】
前記収納構造物３０が、滑り台であることを特徴とする請求項１５または請求項１６のいずれかに記載の移動式係止構造１
【請求項１９】
前記収納構造物３０または係止ペア１７に、表示札３９または、スライダー７１間の間隔を規制する間隔規制具９１を設けたことを特徴とする請求項１から請求項１８のいずれかに記載の移動式係止構造１
【請求項２０】
前記可撓性シート部材１０に、棚１１３あるいは容器が設けられたことを特徴とする請求項１から請求項１９のいずれかに記載の移動式係止構造１
【請求項２１】
前記、設置アイテム１８が収納構造物３０であり、該収納構造物３０の一か所が、前記係止ペア１７に係止され、該収納構造物３０の他の部分を別の係止ペア１７に係止されたことを特徴とする請求項１から請求項２０のいずれかに記載の移動式係止構造１
【請求項２２】
前記設置アイテム１８が案内表示物１２０であることを特徴とする請求項１から請求項２１のいずれかに記載の移動式係止構造１
【請求項２３】
前記係止ペア１７が、前記可撓性シート部材１０の両面に設けられたことを特徴とする請求項1から請求項２２のいずれかに記載の移動式係止構造１
【請求項２４】
前記、可撓性シート部材１０がカーテン８９であることを特徴とする請求項１から請求項２３のいずれかに記載の移動式係止構造１
【請求項２５】
前記、可撓性シート部材１０が傘用吊設シート１０２であることを特徴とする請求項１から請求項２４のいずれかに記載の移動式係止構造１
【請求項２６】
前記、傘用吊設シート１０２の傘１０４が、柄を下にして設けることが可能であることを特徴とする請求項２５に記載の移動式係止構造１
【請求項２７】
前記、可撓性シート部材１０または傘用吊設シート１０２またはカーテン８９が、水受けポケット１０３を設けていることを特徴とする請求項１から請求項２６のいずれかに記載の移動式係止構造１
【請求項２８】
前記、水受けポケット１０３が、前記可撓性シート部材１０または傘用吊設シート１０２またはカーテン８９の上側、あるいは下側、あるいは左右側に設けていることを特徴とする請求項２７に記載の移動式係止構造１
【請求項２９】
前記、可撓性シート部材１０または傘用吊設シート１０２またはカーテン８９が、全体を巻いた状態で係止する巻き取り係止部材１０５を設けていることを特徴とする請求項１から請求項２８のいずれかに記載の移動式係止構造１
【請求項３０】
前記、可撓性シート部材１０または傘用吊設シート１０２またはカーテン８９の前面あるいは背面に、１またはそれ以上のカバー材１１１が設けられていることを特徴とする請求項１から請求項２９のいずれかに記載の移動式係止構造１
【請求項３１】
前記カバー材１１１が、設置アイテム１８に設置アイテム開口部１１２がある場合に、該設置アイテム開口部１１２を覆うように設けられていることを特徴とする請求項１から請求項３０のいずれかに記載の移動式係止構造１
【請求項３２】
前記カバー材１１１の一部が、前記設置アイテム開口部１１２内に入れられて設けられていることを特徴とする請求項３１に記載の移動式係止構造１
【発明の詳細な説明】
【技術分野】
【０００１】
本発明は、物の係止、保持、収納についての自由度の高い保持、係止構造の技術に関する。
【背景技術】
【０００２】
従来から、物の壁面への係止や保持、収納には、壁に吊り具をねじ止めや画鋲やリベット等で留めて、必要な係止具や保持具や収納具を設置するのが一般的である。
また、突っ張り棒などを利用して、壁際にそうした係止具や保持具を取り付けるという方法も存在する。
また、壁に係止具や保持具を備えたレールをネジ等で設置して、レール上で移動可能な保持具として、ちょっとした絵などを掲示する方法も存在する。
【０００３】
しかしながら、壁等への損傷を気にせず、自由な場所に係止や保持、収納できるような自由度の高い係止、保持構造は現状において見当たらず、より自由度の高い、移動式の係止構造が求められている。
【０００４】
また、雨の日の傘立てについても、場所を取らず、自由度の高い傘の保持、収納が可能な傘の収納構造物が求められており、また、雨の屋外でも使える傘の収納構造物が求められている。
【０００５】
また、看板等の案内表示物においても、木製や金属製といった平坦な表面に社名や広告等を表示する方法があり、また、壁等に係止具を設置してシート状の看板を設けるような方法も存在する。しかし、更に看板のサイズや数等の変更が容易で、自由度の高い案内表示が可能な係止構造技術が求められている。
【０００６】
このような現状に鑑み、本発明者以外にも従来から種々の技術が提案されている。
例えば、特許文献１には、発明の名称を「壁面取付具」とする技術が開示され、公知技術となっている（特許文献１参照）。
具体的には、パネル上部に取り付ける左右調整具と下部に取り付ける上下調整具とからなり、左右調整具は水平方向に突出するア−ムからなり、該ア−ムは前記保持部内部を左右方向に移動可能に挿通され先端部にパネルを引っ掛けるためのフックが設けられた構成からなる、パネルの取付具であるが、看板のサイズや数等の変更が容易で、自由度の高い案内表示が可能とする係止をするという課題を解決するものではない。
【０００７】
また、特許文献２には、発明の名称を「装飾機能付きシート状案内表示物及びその製造方法」とする技術が本願発明者によって提案されており、本願申請時においては未開示である（特許文献２参照）。係る提案内容に、保持手段として、シート部材の対向する一組の両辺にファスナーを用い、該ファスナーに設けられるスライダーによる開口を前記スリットとし、前記スライダーを前記装飾物保持部材とする内容がある。
【０００８】
しかしながら、特許文献１と同様に課題解決には至っていない。
また、係る発明の提案者である本願発明者は、更により広く、深い応用、活用範囲、また、よりシンプルあるいは多彩な部材、構造、及び、より発展的な部材、構造とその製造方法を開発するといった課題も追及すべきといえる。
【先行技術文献】
【特許文献】
【０００９】
【特許文献１】特開２００５−９５５１７号
【特許文献２】特願２０１７−１１７２９０号
【発明の概要】
【発明が解決しようとする課題】
【００１０】
係止、保持、収納位置、数量、サイズを自由に調整でき、壁への穴等の損傷や汚れを最小限にすることが可能な自由度の高い係止、保持、収納構造物を提供する。
【課題を解決するための手段】
【００１１】
本発明は、可撓性を有するシート部材である可撓性シート部材は係止ペアを設け、前記係止ペアは、前記可撓性シート部材に設けられたファスナーに設けられた2個のスライダーからなり、前記スライダーは、2個のスライダーがファスナーの開部を挟んで一組の前記係止ペアを成し、前記係止ペアが、一つのセットで連携あるいは連動して1または2以上の係止部材または保持部材を設けて保持機能を備え、前記１セット以上の係止ペアが、連携あるいは連動して設置アイテムを自由な位置に係止または保持可能である構成を採用する。
【００１２】
また、本発明は、前記2個のスライダーからなる一組の係止ペアが連結可能な連結構造を備えている構成を採用することもできる。
【００１３】
また、本発明は、前記連結構造が、一方のスライダーに設けられた凸部ともう一方のスライダーに設けられた穴部または凹部との嵌め合いまたは引掛けである構成を採用することもできる。
【００１４】
また、本発明は、前記係止ペアが連結されている連結構造が、それぞれのスライダーのつまみあるいはケース部に設けられた穴部または凹部と、凸部との嵌め合い、または引掛けによる構成を採用することもできる。
【００１５】
また、本発明は、前記連結構造の凸部に抜け防止構造を設けた構成を採用することもできる。
【００１６】
また、本発明は、前記つまみが、左右あるいは上下に可動可能な遊びを有して備えられ、該つまみの相手側との篏合時に、可動してずれることによって、抜け防止構造に引掛り、抜け防止になる構成を採用することもできる。
【００１７】
また、本発明は、前記2個のスライダーからなる一組の係止ペアが一体である構成を採用することもできる。
【００１８】
また、本発明は、前記係止ペアが、連結部材を介してスライダーが連結されて係止ペアが構成されている構成を採用することもできる。
【００１９】
また、本発明は、前記スライダーのつまみが、係止部材または保持部材である、つまみホルダーである構成を採用することもできる。
【００２０】
また、本発明は、前記係止ペアのスライダーに設けられたつまみホルダーが、該係止ペアのそれぞれに設けられた二つのつまみホルダーで、前記設置アイテムを挟持する構成を採用することもできる。
【００２１】
また、本発明は、前記つまみホルダーが、鍵をかけることが可能である構成を採用することもできる。
【００２２】
また、本発明は、前記つまみホルダーが、つまみに着脱可能である構成を採用することもできる。
【００２３】
また、本発明は、前記スライダーのつまみにおいて、該つまみの回動方向が前記スライダーの進行方向に対して、平行または斜めである構成を採用することもできる。
【００２４】
また、本発明は、前記スライダーのつまみにおいて、該つまみの回動方向が２方向設けられることによって、該つまみが自由な方向に倒れることが可能である構成を採用することもできる。
【００２５】
また、本発明は、前記、設置アイテムが収納構造物である構成を採用することもできる。
【００２６】
また、本発明は、前記、設置アイテムが収納構造物であり、該収納構造物の一か所が、前記係止ペアのスライダーの1個に係止され、該収納構造物のもう一か所を前記係止ペアのもう一つのスライダーに係止され、前記係止ペアのそれぞれのスライダーの間に開口したファスナーから前記収納構造物に、該収納構造物の反対側の前記可撓性シート部材面から収納物を入れることが可能であるシート開口部を設けた構成を採用することもできる。
【００２７】
また、本発明は、前記収納構造物が、ポケットまたは容器である構成を採用することもできる。
【００２８】
また、本発明は、前記収納構造物が、滑り台である構成を採用することもできる。
【００２９】
また本発明は、前記収納構造物３０または係止ペア１７に、表示札３９または、スライダー７１間の間隔を規制する間隔規制具９１を設けた構成を採用することもできる。
【００３０】
また、本発明は、可撓性シート部材１０に、棚あるいは容器が設けられた構成を採用することもできる。
【００３１】
また、本発明は、前記設置アイテムが収納構造物であり、該収納構造物の一か所が、前記係止ペアに係止され、該収納構造物の他の部分を別の係止ペアに係止された構成を採用することもできる。
【００３２】
また、本発明は、前記設置アイテムが案内表示物である構成を採用することもできる。
【００３３】
また、本発明は、前記係止ペアが、前記可撓性シート部材の両面に設けられた構成を採用することもできる。
【００３４】
また、本発明は、前記可撓性シート部材がカーテンである構成を採用することもできる。
【００３５】
また、本発明は、前記可撓性シート部材が傘用吊設シートである構成を採用することもできる。
【００３６】
また、本発明は、前記、傘用吊設シートの傘が、柄を下にして設けることが可能である構成を採用することもできる。
【００３７】
また、本発明は、前記、可撓性シート部材または傘用吊設シートまたはカーテンが、水受けポケットを設けている構成を採用することもできる。
【００３８】
また、本発明は、前記、水受けポケットが、前記可撓性シート部材または傘用吊設シートまたはカーテンの上側、あるいは下側、あるいは左右側に設けている構成を採用することもできる。
【００３９】
また、本発明は、前記、可撓性シート部材または傘用吊設シートまたはカーテンが、全体を巻いた状態で係止する巻き取り係止部材を設けている構成を採用することもできる。
【００４０】
また、本発明は、前記、可撓性シート部材または傘用吊設シートまたはカーテンの前面あるいは背面に、１またはそれ以上のカバー材が設けられている構成を採用することもできる。
【００４１】
また、本発明は、前記カバー材が、設置アイテムに設置アイテム開口部がある場合に、該設置アイテム開口部を覆うように設けられている構成を採用することもできる。
【００４２】
また、本発明は、前記カバー材の一部が、前記設置アイテム開口部内に入れられて設けられている構成を採用することもできる。
【発明の効果】
【００４３】
本発明に係る移動式係止構造によれば、係止、保持、収納位置が自由であるという優れた効果を発揮する。
【００４４】
また、本発明に係る移動式係止構造によれば、素材が可撓性を有する素材で構成されていることから、多様な物品の形状に対応して係止、保持、収納できるという優れた効果を発揮するものである。
【００４５】
また、本発明に係る移動式係止構造によれば、係止、保持、収納物を、まとめて移動可能であるという優れた効果を発揮する。
【００４６】
また、本発明に係る移動式係止構造によれば、壁に穴等の損傷をより少なく、且つ、汚れ無く係止、保持、収納できるという優れた効果を発揮する。
【００４７】
また、本発明に係る移動式係止構造によれば、雨の日の傘の収納場所の自由度が高いという優れた効果を発揮する。
【００４８】
また、本発明に係る移動式係止構造によれば、自由度の高い案内表示の掲示が可能であるという優れた効果を発揮する。
【００４９】
また、本発明に係る移動式係止構造によれば、自由度の高い収納が可能であるという優れた効果を発揮する。
【００５０】
また、本発明に係る移動式係止構造によれば、素材のすべてが可撓性を有する素材で構成されていることから、多様な物品の形状に対応して装着できるという優れた効果を発揮するものである。
【図面の簡単な説明】
【００５１】
【図１】本発明に係る基本構成を説明する構成説明図
【図２】本発明に係る実際の使用実施例説明図
【図３】本発明に係るポケットを設けた構成の例説明図
【図４】本発明に係る表示札の構成の例説明図
【図５】本発明に係るスライダーの連結の構成の例説明図
【図６】本発明に係るスライダーの連結の構成の例説明図
【図７】本発明に係る挟持の構成の例説明図
【図８】本発明に係るスライダーのつまみの方向の構成の例説明図
【図９】本発明に係るポケットを設けた構成の例説明図
【図１０】本発明に係るカーテンの構成の例説明図
【図１１】本発明に係る間隔規制具の構成の例説明図
【図１２】本発明に係る主に傘用吊設シート構成の例説明図
【図１３】本発明に係る柄を下にしての傘用吊設シート構成の例説明図
【図１４】本発明に係るカバー材の構成の例説明図
【図１５】本発明に係る案内表示物係止の構成の例説明図
【発明を実施するための形態】
【００５２】
本発明に係る移動式係止構造は、可撓性のあるシート部材が、ファスナーに設けられた２個のファスナースライダーを係止ペアとして、係る２個のファスナースライダーが、連携あるいは連動して１組の係止ペアとしての移動自由な係止部材または保持部材とした構造を備え、自由度が高く、係止、保持可能である構造を備えたことを最大の特徴とするものである。以下、図面に基づいて本発明を説明する。
【００５３】
図１は、可撓性シート部材１０に設けられたファスナー７０と、2個のスライダー７１がファスナー７０の開部を挟んだ一組の係止ペア１７が、それぞれ1または2個以上の保持部材１９を設けた基本構成の説明図であり、９組の係止ペア１７に保持部材１９が設けられており、それぞれの係止ペア１７には、リングの保持部材１９が設けられており、最左の係止ペア１７には、係るリングに更に保持部材１９として紐状体が２本設けられている構成の例である。
【００５４】
また、係る保持部材１９であるリングは、２個のファスナー７０の連結の為の、連結部材２８の機能を兼ねた構成となっており、連結して連携して機能することによって自由にファスナー７０上を移動可能な連結部材の構成の例となっている。
【００５５】
係る構成によって、可撓性シート部材１０に、保持部材１９を設け、設置アイテム１８を吊設したり、係止したり、保持させることが容易になり、且つ、係る保持部材１９はその位置を自由に移動可能となる。
【００５６】
係る可撓性シート部材１０に、移動可能な保持部材として、一般的に壁等に用いられるレール状の保持部材を設けた場合、シートの表面に貼付することになり、係る可撓性の為比較的剥がれ易く、強度的な懸念もあり、一般的では無く、また、係るレールがリブの様な効果を持つことにより、シートの可撓性を失わせることになり、例えば使わない時は畳みたい場合などは、適切ではなく、そうした点の対策においても、本図の構成は有用である。
【００５７】
係る構成によって、可撓性シート部材１０において、自由に移動可能な係止構造の構成となり、有用である。
【００５８】
また、係る係止ペア１７の連結は、他に、嵌め合いでも良いし、溶接でも、接着でも、面ファスナーでも、磁石でも、結束でも、引掛けでもよく、本発明の技術的思想の範囲内、即ち、同一の作用効果を発揮できる範囲内で限定しない。
【００５９】
また、係る保持部材１９は、他に、面ファスナーでも、磁石でも、クリップでも、ネジ止めでも、フックでも良く、本発明の技術的思想の範囲内、即ち、同一の作用効果を発揮できる範囲内で限定しない。
【００６０】
また、係る係止ペア１７は、図３に示されるように、離れて１組の係止ペア１７として機能する構成としても良い。
【００６１】
また、図には示されていないが、係る２個のスライダー７１から構成される係止ペア１７は、係止部材または保持部材１９は１個のスライダー７１に設けられ、もう一つのスライダー７１は、係止部材または保持部材１９が設けられたスライダー７１の傍に連動するようにして位置してシート開口部７２の開口量を閉じたり、調整する機能である構成の係止ペア１７としてもよい。
【００６２】
また、可撓性シート部材１０の設置方法は、吊り下げでも、周囲を枠体に係止でも、端部を筒状に縫製した係る筒状に棒を通してもよく、その他、その設置方法は特に限定するものではない。
【００６３】
図２は、本発明に係る移動式係止構造１の実施の構成の例を示しており、可撓性シート部材１０に、係るシート部材を吊り下げる為のシート吊り具２９が１３個最上部に設けられている。
シート面には４段のファスナー７０が設けられており、それぞれのファスナー７０に、複数の係止ペア１７が設けられており、それぞれの係止ペア１７に、係止部材または保持部材１９を設けており、最上段のファスナー７０には、リング状の係止部材または保持部材１９が設けられており、何かを吊設して収納する等の使用が可能であり、係るリングは、２個のスライダー７１を連携して移動可能に連結する機能も備え、２段目には、リング状の係止部材または保持部材１９に、設置アイテム１８として、箒が保持されており、更に、二つのポケットがそれぞれ２セットの係止ペア１７にており、３段目のファスナー７０にも、同様に三つのポケットが設けられており、四段目のファスナー７０には、９セットの係止ペア１７にリング状の係止部材または保持部材１９に更に係るリングに係止部材または保持部材１９として、紐状体あるいは面ファスナーがそれぞれ２本設けられている。
【００６４】
その他例えば、スキーを立てかけたり、壁に直接複数の保持部材１９を設けることができない場合や、設置アイテム１８や壁を傷つけたり汚したくない時や、立てかけて保持しているものを、そのまま、まとめて巻いてどこかに持っていくこともできる。また、保持したい設置アイテム１８の保管位置に応じて、係止ペア１７を移動して保持でき、有用である。
【００６５】
図３は、本発明に係る設置アイテム１８に収納構造物３０であるポケットを設けた構成の例を示す構成説明図である。図３（ａ）は平面図であり、図３（ｂ）及び図３（ｃ）は、背面図である。
【００６６】
係る構成は、ファスナー７０に用いられるスライダー７１を操作することによって任意の位置にシート開口部７２を設け、係るシート開口部７２を構成する２個で一組の係止ペア１７を構成するスライダー７１によって、該シート開口部７２を設け、係る係止ペア１７のそれぞれのスライダー７１にポケットの端と端を係止することによって、自由に移動可能なシート開口部７２と、係るシート開口部７２と合わせて移動可能なポケットを構成する構成の例である。また、係る構成では、ファスナー７０の長手方向に多数のスライダー７１を設けることにより、複数のシート開口部７２を創出させることが可能である。
【００６７】
図３（ｂ）は図３（ａ）の背面からみた図であり、２か所のファスナー７０のシート開口部７２が設けられており、係るシート開口部７２から、図３（ａ）で示す前面側のポケットに、収納物を入れ込むことが可能となる。
【００６８】
また、図３（ｃ）は、図３（ａ）において閉じている中央のポケット部を開くことによって図３（ｂ）の２か所のシート開口部７２が３か所のシート開口部７２に増やすことが可能であることを示しており、必要に応じて、係る開口部を自由に増設することが可能であり、また、その位置とサイズも自由に設定可能である。
【００６９】
尚、係るポケットは、容器でもよく、その他収納する収納構造物３０であれば、その形態は綿や麻等その他天然繊維や、ナイロンやポリエステルやビニール等樹脂系やその他素材のシートによる袋状でも、樹脂や金属や木等その他素材の硬質系の容器でも良く、その他、本発明の技術的思想の範囲内、即ち、同一の作用効果を発揮できる範囲内で限定しない。
【００７０】
係る構成では、スライダー７１の位置を変化させることができるため、ポケットの装着位置を該スライダー７１の移動にともなって、ファスナー７０の長手方向に移動することが可能である。また、収納物Ｓの大きさが変化してもスライダー７１の距離とポケットのサイズを調整することで対応可能となっている。
【００７１】
係る構成によれば、例えば、必要に応じてファスナー７０を開けて開口部を設けて、必要な数の開口部を、自由な場所に設けることが可能で、例えば、安全や冷暖房の為に、隔離したい部屋等の窓や受付等に複数の投函口のあるポスト的な使用が可能で、有用である。
【００７２】
ファスナー７０は、一般に衣服等に使用されている金属製又は樹脂製の開閉部材として用いられているものを利用すればよく、特に種類や構造等について限定されるものではなく、スライダー７１を移動することで布状の部材を分割・結合・部分開口等できるものであればよい。
【００７３】
スライダー７１は、ファスナー７０の結合の状態を操作する部材であり、本発明においては二つのスライダー７１があれば自由な位置にシート開口部７２とポケットを設けることが可能となる。また、スライダー７１を多数用いて一つのファスナー７０に複数のシート開口部７２を設けることも可能である。
【００７４】
また、図面には示していないが、係る収納構造３０が、滑り台である構成としても良く、例えば、複数のシート開口部７２のそれぞれの設けられた滑り台の先にサイズの大きな容器を設けることにより、複数のシート開口部７２から投入された収納物の数が多い場合でも、それぞれ仕訳されて収納可能な構成であり、有用である。
【００７５】
尚、係る滑り台は、中空状でも良いし、台状でも良いし、シート状でも良いし、係る傾斜も急でも良いし、緩やかでも良く、本発明の技術的思想の範囲内、即ち、同一の作用効果を発揮できる範囲内で限定しない。
【００７６】
図４は、図３の構成において、表示札３９をポケットの背面側に掲示する構成の説明図であり、図４（ａ）は断面図、図４（ｂ）は正面図である。
【００７７】
係る表示札３９は、シート開口部７２越しに係止部材または保持部材１９を介してスライダー７１に設けられており、例えば、図４（ｂ）で示されるように、例えば、３年Ｂ組の提出書類は係るシート開口部７２から投入して下さい、ということを示している。
【００７８】
本発明に係る構成によれば、例えば、年度によってクラス数が変わる場合も、そのクラス数に合わせて、シート開口部７２を設けてクラス名の書いた表示札３９を掲示すれば良いし、あるいは、必要な提出物に合わせて、開口したり、開口の幅や場所を変えたり、表示札３９を変えたりすればよい。
また、係る表示札３９が、シート開口部７２の両サイドのスライダー７１に設けられている為、これ以上スライダー７１は開かず、閉じない構成となっており、間隔規制具９１としての機能も備えている。
尚、係る表示札３９は、ポケットに係止する構成としても良い。
【００７９】
図５は、本発明に係るスライダー７１の連結についての説明図である。
図５（ａ）は、比較説明の為の、特に連結のない構成の説明図であり、図５（ａ１）は図５（ａ２）の断面図であり、ファスナー７０が通る部分であるスライダー７１のケース部５８の構成の例を示しており、係るケース内部で、噛み合わせたファスナー７０が２つに分かれてシート開口部７２を形成し、また、１つに噛み合わせられる様子を示している。
【００８０】
図５（ｂ）は、図５（ａ）の２個のスライダー７１のケース部５８に、連結構造である凸部５６と凹部を設けている構成の例の説明図であり、図５（ｂ１）に示されるように、係るケース部５８の両サイドに設けられた凸部５６と凹部が互いに噛み合わせられて、図５（ｂ２）に示されるように、噛み合わされて連結する構成となっている。係る構成においては、係る凸部５６の爪が設けられている部分と反対側を抑えることによって、凸部５６の爪部が凹部から外れて着脱できる構成としても良い。また、係る凸部５６及び凹部は、本構成では係るケース部５８のサイド面に設けられているが、係る爪部及び爪部は、ケース部５８の上面に設けても良いし、また凸部５６と凹部の篏合あるいは引掛け形状も、凹部は貫通穴でも良いし、お互いが爪部を設けた形状で、互いの爪同士が噛み合う構成でも良いし、係る嵌め合い、あるいは引掛けの構造は、本発明の技術的思想の範囲内、即ち、同一の作用効果を発揮できる範囲内で限定しない。
【００８１】
図５（ｃ）は、図５（ｂ）の２個の連結可能なスライダー７１が、最初から一体となっている構成であり、係るスライダー７１の両サイドが閉じた状態になっている説明図であり、図５（ｃ１）は図５（ｃ２）の断面図である。
係る構成においては、開閉を考慮しない構成であり、ほぼ係止部材または保持部材１９専用のスライダー７１の構成となり、例えば係るスライダー７１の全長を長くすることによって、より強度的にもより強く設定可能となる。
【００８２】
図６は、本発明に係るスライダー７１のつまみ５９に設けられた穴部と、スライダー７１のケース部５８に設けられた凸部５６が連結部である係るつまみ５９が連結部材２８である構成の例の説明図であり、図６（ａ）は連結前の側面図、図６（ｂ）は連結時の側面図、図６（ｃ）は連結後の側面図であり、係る構成においては、つまみ５９に設けられた穴部が、係止ペア１７のもう一つのスライダー７１に設けられた凸部５６に倒れて嵌め込まれることにより連結する構成となっている。
また、図６（ｃ）に示されるように、例えば、垂直面の水平方向に設けられたファスナー７０とファスナースライダー７１の場合、係る凸部５６に嵌め合わされたスライダー７１の穴部が、ファスナー７０の進行方向に対して直角方向に可動可能な遊びを備えており、篏合後に重力によってずれることによって、係る凸部５６の抜け防止構造５５に引っ掛かって、自然とは抜けにくい構成となっている。
【００８３】
また、図面には示していないが、スライダー７１そのものを凸形状部として、スライダー７１全体を抱き込むようにつまみ５９の穴部に嵌め込むような構成にしても良い。
また、係るつまみ５９やケース部５８にフック形状を設け、係る互いのフック形状の凹形状部と凸形状部の噛み合わせて引掛けて連結する構成としてもよい。
また、その他、係る係止ペア１７の連結構造は、凸部５６と凹部の篏合あるいは引掛け、磁石、紐状体による結束でもよく、本発明の技術的思想の範囲内、即ち、同一の作用効果を発揮できる範囲内で限定しない。
【００８４】
図７は、本発明に係る係止ペア１７のそれぞれのスライダー７１に設けられたつまみホルダー７９によって、設置アイテム１８が挟持される構成の例であり、スライダー７１のつまみ５９がつまみホルダー７９となっている構成の例であり、図７（ａ）は係るつまみホルダー７９が開いた状態を示しており、図７（ｂ）は係るつまみホルダー７９が閉じた状態を示しており、係るつまみホルダー７９に設けられた篏合形状部である凸部５６と凹部が篏合することによって連結されることにより形成された挟持領域７８に、設置アイテム１８が挟持される構成の例を示している。
【００８５】
尚、係るつまみホルダー７９は、回動可能な構成となっているが、固定でも良いし、また、篏合された互いの、つまみホルダー７９において、鍵をかけることが可能な構成としても良く、つまみホルダー７９を、ワイヤーロックの構成としても良い。
また、係るつまみホルダー７９の形状は、フック状でも、穴状でも、磁石でも、クランプ状でも、ホックでも、螺子付きでも、面ファスナーでも、リング状でもよく、想定される設置アイテム１８に適合した係止、保持構造において、本発明の技術的思想の範囲内、即ち、同一の作用効果を発揮できる範囲内で限定しない。
また、係るつまみホルダー７９は、つまみ５９に螺子や溶接等で係止された構成としてもよく、係る係止方法は、その他、溶着、接着、リベット等、その他、係止方法は本発明の技術的思想の範囲内、即ち、同一の作用効果を発揮できる範囲内で限定しない。
また、係る係止方法は、着脱可能に係止する構成としても良い。
【００８６】
図８は、本発明に係る係止ペア１７のスライダー７１のつまみ５９の回動方向が、スライダー７１の進行方向に対して、通常タイプの直角ではない構成の実施の例である。
【００８７】
図８（ａ）は、本発明に係る係止ペア１７のスライダー７１のつまみ５９の回動方向が、係るスライダー７１の進行方向に対して、平行である構成の例であり、設置アイテム１８としてのポケットが設けられている右２個のスライダー７１の係止ペア１７がファスナー７０の方向と平行の回動軸によって下向きのつまみ５９に係るポケットを吊設しており、左の２個のスライダー７１によって構成されるフリーの係止ペア１７のつまみ５９は、上側を向いており、係るこれらの係止ペア１７のつまみ５９が、ファスナー７０の進行方向と平行の回動軸を備えていることを示している。
係る構成によって、係る可撓性シート部材１０が垂直方向に設けられ、ファスナー７０が垂直面の水平方向に設けられた場合でも、係るつまみ５９とスライダー７１のケース部５８の篏合、回動部への負荷の偏りが改善され、同サイズのスライダー７１でも、より強度が高く安定した係止ペア１７の構成となる。
また、例えば、４５度方向のファスナー７０に対しては、４５度の回動軸のつまみ５９を備えたファスナースライダー７１の構成としても良い。
【００８８】
また、係るつまみ５９の回動軸を、２方向備えたつまみ５９としても良く、例えば、図８（ｂ）に示されるように、図８（ａ）のように、つまみ５９が倒れる方向への回動軸と合わせて、図８（ｂ）に示されるように、ファスナー７０面に垂直方向の回動軸を備えたファスナー７０としてもよく、係る構成によれば、ファスナー７０の方向に関係なく、つまみ５９の向きは自由とすることが可能な構成となる。
【００８９】
図９は、本発明に係る係止ペア１７に、設置アイテム１８としてポケットが設けられた構成の例であり、図３が係止ペア１７１組を、シート開口部７２を設ける構成であるのに対して、図９は、係止ペア１７を連結部材２８で連結し、設置アイテム１８としてのポケットを設けた構成の例を示している。
【００９０】
図９（ａ）は、４組の係止ペア１７に、連結部材２８兼係止部材または保持部材１９のリングが設けられており、係る係止ペア１７が２組に１個の設置アイテム１８であるポケットが設けてあり、係るポケットが、２個吊設されている実施例である。
係る構成によって、ポケットを自由に係る可撓性シート部材１０の好きな場所に移動することが可能となる。
【００９１】
また、図９（ｂ）は、縦方向のファスナー７０に設けられた構成であり、係る縦方向のファスナー７０に設ける構成においては、特に、係る係止ペア１７がポケットの重量で勝手に移動しないように、ロックタイプのスライダー７１を使用することが望ましい。
また、図面には示されていないが、縦方向の場合も、１組の係止ペア１７において、シート開口部７２を設ける構成にしても良く、あるいは、平行するファスナー７０に跨る様に係るポケットを設けることによって、より幅の広いポケットを設ける構成としても良い。
【００９２】
図１０は、本発明に係る可撓性シート部材１０が、カーテン８９である構成の例であり、複数のシート吊り具２９を設けて係るカーテン８９が吊設される構成である。
係る構成によって、カーテン８９の好きな場所に、好きなサイズのポケット等の収納構造物３０や、係止部材または保持部材１９を設けることが可能な構成となり、例えば係る保持部材１９をフックにして、帽子をかけても良いし、病院のベッドを囲うカーテン８９等でも、狭い場所で作業をしたり、収納スペースとしても、係る係止部材または保持部材１９の活用が可能となり、その有用性の幅は広い。
尚、係るシート吊り具２９の形態は、カーテン８９を吊るす構成であれば、その他どのような形態でもよく、本発明の技術的思想の範囲内、即ち、同一の作用効果を発揮できる範囲内で限定せず、材質も同様に、ポリプロピレン、ナイロン、ポリカーボネート等の樹脂、紐状体、鉄、真鍮等の金属、その他、限定せず、必要な強度を満足していることが必要である。
また、カーテンの素材、色、サイズ、形状も、可撓性シート部材１０同様に限定しない。
【００９３】
図１１は、本発明に係る係止ペア１７に、間隔規制具９１を設けた構成の例である。
図１１（ａ）は、係る係止ペア１７の連結部材２８、あるいは、係止部材または保持部材１９または設置アイテム１８も兼ねた構成の例であり、係る間隔規制具９１は、係る係止ペア１７のファスナー７０間に、係止部材または保持部材１９を介して設けられて、シート開口部７２の開口幅を規制している構成である。
係る構成によれば、簡単に係る開口幅を開けたり閉じたりすることができない為、例えば、いたずら等で勝手に開口幅を変えられたり、投入される書類等の幅に合わせて、正確に開口量を保持したりすることが可能であり、有用である。
【００９４】
図１１（ｂ）は、係る間隔規制具９１が係止された係止ペア１７を設けた可撓性シート部材１０の背面に、棚１１３が備えられた構成の例であり、縦３×横３の棚１１３のそれぞれの区画に、シート開口部７２を設けられており、各々のシート開口部７２には、表示札３９が間隔規制具９１に設けられており、右下の棚部は、例えば、、クラスが無い為に使われていない状態を示しており、年度によって自由にシート開口部を設けたり、閉じたり、また、そのサイズも自由に設定することができる構成である。
【００９５】
係る棚に投入された収納物を取り出す時は、係る間隔規制具９１を外して、シート開口部を開けて取り出すことも可能であるし、また、間隔規制具９１に鍵を設けてつまみ５９に係止すれば、自由に開閉できない構成となるし、また、ファスナーを本図例では一文字に設けているが、各棚部でコの字に設ければ、取り出しの際に、より広く開口できる構成ともできる。
【００９６】
また、係る間隔規制具９１をの形状は、棒状でも、横長の長方形が開口しているような形状で、その開口から書類等を投函できるようにしても良いし、その形状は、シート開口部を保持できる本発明の範囲内で、特に限定しない。
また、係る棚１１３は、棚でも、箱でも、容器でもよく、係る棚または容器の形態は、樹脂でも、金属でも、木でも、布状でもよく、その他、本発明の技術的思想の範囲内、即ち、同一の作用効果を発揮できる範囲内で限定しない。
【００９７】
図１２は、本発明に係る可撓性シート部材１０が、傘用吊設シート１０２である構成の説明図であり、上部に、シート吊り具２９を設け、９組の係止ペア１７にそれぞれ係止部材または保持部材１９としてリングが設けられ、係る係止ペア１７の内５組の係止ペア１７に傘１０４が吊設されている状態である。
【００９８】
また、係る傘用吊設シート１０２には、下部に水受けポケット１０３が設けられており、傘１０４から垂れる水を受ける構成となっている。尚、係る水受けポケット１０３は、排水穴を設けて、所定の位置に排水できるようにホース等を設ける構成としても良い。
【００９９】
また、更に、巻き取り係止部材１０５を設けており、係る傘用吊設シート１０２を巻き取って保管できる構成となっている。例えば、晴れの日は傘１０４ごと巻き取って保管しておいても良いし、あるいは、車などで移動する際にも、濡れた傘１０４の数本をまとめて巻き取って車に積むようなことも可能で、濡れた傘１０４をまとめることが可能となり、例えば、観光バス等で移動する際にも、客に傘１０４をバスに乗り込む際に自分でかけてもらい、まとめて巻いて荷台に乗せておくようなことも可能である。
【０１００】
尚、そのように、濡れた複数の傘１０４を巻き取って横倒しにしておいておく際に、水受けポケット１０３が、下側だけではなく、上側にも設けられていることで、車内等での水のこぼれを抑制することが可能となり、有用である。更に、図面には示されていないが、左右にも係る水受けポケット１０３を設けても良い。
【０１０１】
尚、係る巻き取り係止部材１０５は、紐状体でも良いし、面ファスナー、ゴム、磁石等、その他、本発明の技術的思想の範囲内、即ち、同一の作用効果を発揮できる範囲内で限定しない。
また、巻き取って保管する構成については、畳むようにして保管する構成としても良い。
【０１０２】
尚、係る傘用吊設シート１０２によって、屋内でも、スペースの幅の無い入口等の場所に傘１０４を保管でき、また、防水性のシートで構成することによって、壁を濡らすことなく傘１０４を保管できる構成であり、有用である。
また、係止ペア１７によって係止部材または保持部材１９が移動可能であることによって、乾いた置き傘１０４を一方に寄せてまとめておいたり、濡れた傘１０４の間隔を調整して、乾燥を促進したりすることが可能である。
また、本図の例においては、片面のみに傘１０４を保持できる構成であるが、両面に保持できる構成とすることによって、例えば、通路の真ん中に係る傘用吊設シート１０２を上から吊って設ければ、保持スペースが倍になり、有用である。
【０１０３】
図１３は、本発明に係る前記傘１０４吊設シートの傘１０４を、柄を下にして保持する構成の例であり、係る係止部材または保持部材１９が、面ファスナーの構成となっており、１０組の係止ペア１７に対して、５本の傘１０４が柄を下にして保持されている状態を示している。
係る、傘１０４を柄を下にして保持することによって、立てた傘の中に雨が溜まらず、係る傘用吊設シート１０２を、屋外に吊設することが可能となり、一般の傘１０４立てが、柄を上にして傘１０４立てにて保管する為、雨の屋外に置いておくと、傘１０４の中に雨が溜まっていくことになる。しかし、構成によれば、傘１０４の中に雨が溜まることが無い為、屋外に吊設することが可能となり、仮設のイベント会場や、屋根の下に傘１０４立てを置くスペースを取れない場合など、屋外に傘１０４を置ける為、有用である。
また、傘１０４の先端部に吊設できるフック等が設けられていても、有用である。
【０１０４】
図１４は、本発明に係るカバー材１１１の構成の説明図である。
図１４（ａ）は、傘１０４が係止ペア１７にて柄を上にして吊り下げて保持されており、係る傘１０４を畳んだ設置アイテム開口部１１２を、係るカバー材１１１が覆うようにして設けられている構成の例である。
係る構成によって、図１３の構成と同様に、雨が傘１０４の中に降り込まず、屋外に係る傘用吊設シート１０２を設けることが可能となり、有用である。
【０１０５】
尚、本構成の例では、係る設置アイテム１８が傘１０４であるが、例えばポケット等の収納構造物３０においても、係る設置アイテム開口部１１２を覆うようにカバー材１１１を設ければよく、その他、想定される設置アイテム１８に合わせて、必要な部分を覆うような構成にすればよい。
尚、係るカバー材１１１は、係る傘用吊設シート１０２あるいは可撓性シート部材１０の全体を覆うようにして設けられていても良く、必要に応じて、必要な場所を覆う構成でも良く、その範囲は本発明の技術的思想の範囲内、即ち、同一の作用効果を発揮できる範囲内で限定しない。
【０１０６】
図１４（ｂ）は、係るカバー材１１１の一部が、設置アイテム開口部１１２である、ポケットの開口部に差し入れられている構成の例の説明図であり、ファスナー７０の上部に設けられた係るカバー材１１１の一部が、係るポケットの開口部に差し入れられることによって、係る開口部に対応した位置のシート開口部７２から差し入れられた、例えば紙などの収納物が、係るポケットを越えて、ポケットに入らずに落下するのを防止する構成となっている。
【０１０７】
尚、係る構成においては、カバー材１１１は、移動自由な係止ペア１７に設けられたポケットの位置に対応できるよう、係るポケットの開口部に差し入れられる高さ分を、短冊状に切り込みを設けても良いし、短冊状や紐状体の複数のカバー材１１１を複数並べて設けた構成としても良く、また、係止ペア１７に設けても良い。
【０１０８】
尚、係止ペア１７に係るカバー材１１１設ける場合は、シート開口部７２から差し入れられた収納物が、係るポケットの方に入らずに、係るカバー材１１１の上に逃げて、脱落しないように、係る係止ペア１７に設けた位置より上の方にも、係るカバー材１１１が自立して、収納物が上に逃げないようにカバーしておくことが望ましく、その構成としては、例えば、係る自立させる部分を折り曲げて２重にしたり、自立するような硬度を備えた素材を用いた構成としても良い。
【０１０９】
図１５は、本発明に係る設置アイテム１８が案内表示物１２０である構成の説明図であり、可撓性シート部材１０に設けられた水平方向の２本のファスナー７０にそれぞれ複数の係止ペア１７が設けられており、係る上下４組ずつの係止ペア１７に、２枚の案内表示物１２０が係止部材または保持部材１９を介して設けられて、いる状態の例である。
【０１１０】
係る構成の例の様に、２枚の案内表示物１２０はそれぞれ違うサイズであるが、係る構成の様に、様々なサイズの案内表示物１２０に合わせて係止部材または保持部材１９の位置を変更することによって、テント生地や帆布等の店頭前や特設イベント会場の特設テントなど、スペースの無いところ、期間限定で撤去する予定の会場等で、場所とコストを取らず、様々なサイズや数の案内表示の自由度が広がり、有用である。
【０１１１】
尚、上記一連の本図内容において、可撓性シート部材１０は、可撓性を有するシートであればその素材を特に限定するものではなく、例えば、ポリエステルやナイロンなどの合成樹脂、ビニール、ゴム、ガラス繊維、綿や麻の天然素材でもよく、その色についても透明であっても不透明であっても蛍光色でも特に限定せず、また厚さやサイズについても特に限定するものではない。使用場所や想定される係止、保持、収納物によっては、耐水性や強度に優れた素材が望ましい。
【０１１２】
また、カバー材１１１についても同様に素材、色、厚さを限定せず、また、その形態は板状でもよく、本発明の技術的思想の範囲内、即ち、同一の作用効果を発揮できる範囲内で限定しない。
係るポケットはその他形態の容器でもよく、係る収納構造物３０の形態は本発明の技術的思想の範囲内、即ち、同一の作用効果を発揮できる範囲内で限定しない。
【０１１３】
また、係るシート吊り具２９の形態は、係るシート部材を吊り下げる形態であればよく、その形態は本発明の技術的思想の範囲内、即ち、同一の作用効果を発揮できる範囲内で限定しない。
【０１１４】
また、係るシート吊り具２９の形態は、係るシート部材を吊り下げる形態であればよく、その形態は本発明の技術的思想の範囲内、即ち、同一の作用効果を発揮できる範囲内で限定しない。
【０１１５】
また、係る係止部材または保持部材１９は、様々な設置アイテム１８に合わせた形態、構造で良く、紐、面ファスナー、ボルトナット、磁石、リング、フック、筒状部材、針金、鎖、粘着テープ、ゴム、ベルト等、その他その形態を本発明の技術的思想の範囲内、即ち、同一の作用効果を発揮できる範囲内で限定しない。
【０１１６】
また、例えば、傘用吊設シート１０２等、特定の構成で例示しているものにおいても、本発明の範囲内で、可撓性シート部材１０全般において採用可能な構成として、特定の構成に限定されるものではない。
【０１１７】
また、それぞれの図において、本発明の構成は、可撓性シート部材１０の片面だけであるが、両面に設けても良い。
【産業上の利用可能性】
【０１１８】
本発明は、壁への穴等、損傷や汚れを抑制し、自由度が高い係止、保持、収納が可能とすることで、雨の日の自由な場所で、スペースを取らない傘１０４立て、保管、自由度の高い案内表示の掲示を可能にすることなど、応用、活用の範囲が広く、利用できる魅力的な発明品となり、産業上利用可能性は極めて高いと思慮されるものである。
【符号の説明】
【０１１９】
１    移動式係止構造
１０  可撓性シート部材
１７  係止ペア
１８  設置アイテム
１９  係止部材または保持部材
２８  連結部材
２９  シート吊り具
３０  収納構造物（ポケット、容器類）
３９  表示札
５５  抜け防止構造
５６  凸部
５７  穴部または凹部
５８  ケース部
５９  つまみ
７０  ファスナー
７１  スライダー
７２  シート開口部
７８  挟持領域
７９  つまみホルダー
８９  カーテン
９１  間隔規制具
１０２  傘用吊設シート
１０３  水受けポケット
１０４  傘
１０５  巻き取り係止部材
１１１  カバー材
１１２  設置アイテム開口部
１１３  棚
１２０  案内表示物
【図１】
2019092951.tif 000003
【図２】
2019092951.tif 000004
【図３】
2019092951.tif 000005
【図４】
2019092951.tif 000006
【図５】
2019092951.tif 000007
【図６】
2019092951.tif 000008
【図７】
2019092951.tif 000009
【図８】
2019092951.tif 000010
【図９】
2019092951.tif 000011
【図１０】
2019092951.tif 000012
【図１１】
2019092951.tif 000013
【図１２】
2019092951.tif 000014
【図１３】
2019092951.tif 000015
【図１４】
2019092951.tif 000016
【図１５】
2019092951.tif 000017
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
可撓性を有するシート部材である可撓性シート部材（１０）は係止ペア（１７）を設け、
前記係止ペア（１７）は、前記可撓性シート部材（１０）に設けられたファスナー（７０）に設けられた2個のスライダー（７１）からなり、
前記スライダー（７１）は、2個のスライダー（７１）がファスナー（７０）の開部を挟んで一組の前記係止ペア（１７）を成し、
前記係止ペア（１７）が、一つのセットで連携あるいは連動して1または2以上の係止部材または保持部材（１９）を設けて保持機能を備え、
前記１セット以上の係止ペア（１７）が、連携あるいは連動して設置アイテム（１８）を自由な位置に係止または保持可能である移動式係止構造（１）を備え、
前記可撓性シート部材（１０）は、シート吊り具（２９）を備え、
壁や吊設可能な支持材に設置可能に様々な設置アイテムを保持可能に、
前記移動式係止構造（１）を備えたことを特徴とする保持ユニットの製造方法。 
【請求項２】
可撓性を有するシート部材である可撓性シート部材（１０）は係止ペア（１７）を設け、
前記係止ペア（１７）は、前記可撓性シート部材（１０）に設けられたファスナー（７０）に設けられた2個のスライダー（７１）からなり、
前記スライダー（７１）は、2個のスライダー（７１）がファスナー（７０）の開部を挟んで一組の前記係止ペア（１７）を成し、
前記係止ペア（１７）が、一つのセットで連携あるいは連動して1または2以上の係止部材または保持部材（１９）を設けて保持機能を備え、
前記１セット以上の係止ペア（１７）が、連携あるいは連動して設置アイテム（１８）を自由な位置に係止または保持可能である移動式係止構造（１）を備え、
前記可撓性シート部材（１０）は、シート吊り具（２９）を備え、
壁や吊設可能な支持材に設置可能に多目的な設置アイテムを保持可能に、
前記移動式係止構造（１）を備え
前記設置アイテム（１８）が収納構造物（３０）であることを特徴とする収納ユニットの製造方法。 
【請求項３】
可撓性を有するシート部材である可撓性シート部材（１０）に設けられる移動式係止構造であって、前記移動式係止構造は係止ペア（１７）であり、
前記係止ペア（１７）は、前記可撓性シート部材（１０）に設けられたファスナー（７０）に設けられた2個のスライダー（７１）からなり、
前記スライダー（７１）は、つまみ（５９）及びケース部（５８）を備え、
前記スライダー（７１）は、2個のスライダー（７１）がファスナー（７０）の開部を挟んで一組の前記係止ペア（１７）を成し、
前記係止ペア（１７）が、一つのセットで連携あるいは連動して1または2以上の係止部材または保持部材（１９）を設けて保持機能を備え、
前記１セット以上の係止ペア（１７）が、連携あるいは連動して設置アイテム（１８）を自由な位置に係止または保持可能で、
前記2個のスライダー（７１）からなる一組の係止ペア（１７）が連結可能な連結構造を備えていることを特徴とする移動式係止構造（１）。
【請求項４】
可撓性を有するシート部材である可撓性シート部材（１０）に設けられる移動式係止構造であって、
前記移動式係止構造は係止ペア（１７）であり、
前記係止ペア（１７）は、前記可撓性シート部材（１０）に設けられたファスナー（７０）に設けられた2個のスライダー（７１）からなり、
前記スライダー（７１）は、つまみ（５９）及びケース部（５８）を備え、
前記スライダー（７１）は、2個のスライダー（７１）がファスナー（７０）の開部を挟んで一組の前記係止ペア（１７）を成し、
前記係止ペア（１７）が、一つのセットで連携あるいは連動して1または2以上の係止部材または保持部材（１９）を設けて保持機能を備え、
前記１セット以上の係止ペア（１７）が、連携あるいは連動して設置アイテム（１８）を自由な位置に係止または保持可能で、
前記2個のスライダー（７１）からなる一組の係止ペア（１７）が連結可能な連結構造を備え、
前記連結構造が、一方のスライダー（７１）に設けられた凸部（５６）ともう一方のスライダー（７１）に設けられた穴部または凹部（５７）との嵌め合いまたは引掛けであることを特徴とする移動式係止構造（１）。
【請求項５】
可撓性を有するシート部材である可撓性シート部材（１０）に設けられる移動式係止構造であって、
前記移動式係止構造は係止ペア（１７）であり、
前記係止ペア（１７）は、前記可撓性シート部材（１０）に設けられたファスナー（７０）に設けられた2個のスライダー（７１）からなり、
前記スライダー（７１）は、つまみ（５９）及びケース部（５８）を備え、
前記スライダー（７１）は、2個のスライダー（７１）がファスナー（７０）の開部を挟んで一組の前記係止ペア（１７）を成し、
前記係止ペア（１７）が、一つのセットで連携あるいは連動して1または2以上の係止部材または保持部材（１９）を設けて保持機能を備え、
前記１セット以上の係止ペア（１７）が、連携あるいは連動して設置アイテム（１８）を自由な位置に係止または保持可能で、
前記2個のスライダー（７１）からなる一組の係止ペア（１７）が連結可能な連結構造を備え、
前記連結構造が、それぞれのスライダー（７１）のつまみ（５９）あるいはケース部（５８）に設けられた穴部または凹部（５７）と、凸部（５６）との嵌め合い、または引掛けによることを特徴とする移動式係止構造（１）。
【請求項６】
可撓性を有するシート部材である可撓性シート部材（１０）に設けられる移動式係止構造であって、
前記移動式係止構造は係止ペア（１７）であり、
前記係止ペア（１７）は、前記可撓性シート部材（１０）に設けられたファスナー（７０）に設けられた2個のスライダー（７１）からなり、
前記スライダー（７１）は、つまみ（５９）及びケース部（５８）を備え、
前記スライダー（７１）は、2個のスライダー（７１）がファスナー（７０）の開部を挟んで一組の前記係止ペア（１７）を成し、
前記係止ペア（１７）が、一つのセットで連携あるいは連動して1または2以上の係止部材または保持部材（１９）を設けて保持機能を備え、
前記１セット以上の係止ペア（１７）が、連携あるいは連動して設置アイテム（１８）を自由な位置に係止または保持可能で、
前記2個のスライダー（７１）からなる一組の係止ペア（１７）が連結可能な連結構造を備え、 
前記連結構造が、それぞれのスライダー（７１）のつまみ（５９）あるいはケース部（５８）に設けられた穴部または凹部（５７）と、凸部（５６）との嵌め合い、または引掛けによって連結可能で、
前記連結構造の凸部（５６）に抜け防止構造（５５）を備えたことを特徴とする移動式係止構造（１）。
【請求項７】
前記つまみ（５９）が、左右あるいは上下に可動可能な遊びを有して備えられ、該つまみ（５９）の相手側との篏合時に、可動してずれることによって、抜け防止構造（５５）に引掛り、抜け防止になることを特徴とする請求項６に記載の移動式係止構造（１）。
【請求項８】
前記2個のスライダー（７１）からなる一組の係止ペア（１７）が一体であることを特徴とする請求項３に記載の移動式係止構造（１）。
【請求項９】
前記係止ペア（１７）が、連結部材（２８）を介してスライダー（７１）が連結されて係止ペア（１７）が構成されていることを特徴とする請求項３から請求項７のいずれかに記載の移動式係止構造（１）。
【請求項１０】
前記スライダー（７１）のつまみ（５９）において、該つまみ（５９）の回動方向が前記スライダー（７１）の進行方向に対して、平行または斜めであることを特徴とする請求項３から請求項９のいずれかに記載の移動式係止構造（１）。
【請求項１１】
前記スライダー（７１）のつまみ（５９）において、該つまみ（５９）の回動方向が２方向設けられることによって、該つまみ（５９）が自由な方向に倒れることが可能であることを特徴とする請求項３から請求項１０のいずれかに記載の移動式係止構造（１）。
【請求項１２】
前記スライダー（７１）のつまみ（５９）が、係止部材または保持部材（１９）である、つまみホルダー（７９）であることを特徴とする請求項３から請求項１１のいずれかに記載の移動式係止構造（１）。
【請求項１３】
前記係止ペア（１７）のスライダー（７１）に設けられたつまみホルダー（７９）が、該係止ペア（１７）のそれぞれのスライダー（７１）に設けられた二つのつまみホルダー（７９）であって、前記二つのつまみホルダーで前記設置アイテム（１８）を挟持することを特徴とする請求項１２に記載の移動式係止構造（１）。
【請求項１４】
前記つまみホルダー（７９）が、鍵をかけることが可能であることを特徴とする請求項１２または請求項１３に記載の移動式係止構造（１）。
【請求項１５】
前記つまみホルダー（７９）が、着脱可能であることを特徴とする請求項１２から請求項１４のいずれかに記載の移動式係止構造（１）。
【請求項１６】
可撓性を有するシート部材である可撓性シート部材（１０）は係止ペア（１７）を設け、
前記係止ペア（１７）は、前記可撓性シート部材（１０）に設けられたファスナー（７０）に設けられた2個のスライダー（７１）からなり、
前記スライダー（７１）は、2個のスライダー（７１）がファスナー（７０）の開部を挟んで一組の前記係止ペア（１７）を成し、
前記係止ペア（１７）が、一つのセットで連携あるいは連動して1または2以上の係止部材または保持部材（１９）を設けて保持機能を備え、
前記１セット以上の係止ペア（１７）が、連携あるいは連動して設置アイテム（１８）を自由な位置に係止または保持可能である移動式係止構造（１）を備え、
前記可撓性シート部材（１０）は、シート吊り具（２９）を備え、
壁や吊設可能な支持材に設置可能に様々な設置アイテムを保持可能に、
前記移動式係止構造（１）を備えたことを特徴とする保持ユニット。 
【請求項１７】
前記、請求項１６の移動式係止構造（１）が、請求項３から請求項１５のいずれかの移動式係止構造（１）であることを特徴とする請求項１６に記載の保持ユニット。
【請求項１８】
可撓性を有するシート部材である可撓性シート部材（１０）は係止ペア（１７）を設け、
前記係止ペア（１７）は、前記可撓性シート部材（１０）に設けられたファスナー（７０）に設けられた2個のスライダー（７１）からなり、
前記スライダー（７１）は、2個のスライダー（７１）がファスナー（７０）の開部を挟んで一組の前記係止ペア（１７）を成し、
前記係止ペア（１７）が、一つのセットで連携あるいは連動して1または2以上の係止部材または保持部材（１９）を設けて保持機能を備え、
前記１セット以上の係止ペア（１７）が、連携あるいは連動して設置アイテム（１８）を自由な位置に係止または保持可能である移動式係止構造（１）を備え、
前記可撓性シート部材（１０）は、シート吊り具（２９）を備え、
壁や吊設可能な支持材に設置可能に多目的な設置アイテムを保持可能に、
前記移動式係止構造（１）を備え
前記設置アイテム（１８）が収納構造物（３０）であることを特徴とする収納ユニット。 
【請求項１９】
前記、請求項１８の移動式係止構造（１）が、請求項３から請求項１５のいずれかの移動式係止構造（１）であることを特徴とする請求項１８に記載の収納ユニット。
【請求項２０】
前記、設置アイテム（１８）が収納構造物（３０）であり、該収納構造物（３０）の一か所が、前記係止ペア（１７）のスライダー（７１）の1個に係止され、該収納構造物（３０）のもう一か所を前記係止ペア（１７）のもう一つのスライダー（７１）に係止され、前記係止ペア（１７）のそれぞれのスライダー（７１）の間に開口したファスナー（７０）の開口部であるシート開口部（７２）を設けたことを特徴とする請求項１８に記載の収納ユニット。
【請求項２１】
前記、設置アイテム（１８）が収納構造物（３０）であり、該収納構造物（３０）の一か所が、前記係止ペア（１７）に係止され、該収納構造物（３０）の他の部分を別の係止ペア（１７）に係止されたことを特徴とする請求項１８から請求項１９のいずれかに記載の収納ユニット。 
【請求項２２】
前記収納構造物（３０）が、ポケットまたは容器であることを特徴とする請求項１８から請求項２１のいずれかに記載の収納ユニット。
【請求項２３】
可撓性を有するシート部材である可撓性シート部材（１０）は係止ペア（１７）を設け、
前記係止ペア（１７）は、前記可撓性シート部材（１０）に設けられたファスナー（７０）に設けられた2個のスライダー（７１）からなり、
前記スライダー（７１）は、2個のスライダー（７１）がファスナー（７０）の開部を挟んで一組の前記係止ペア（１７）を成し、
前記係止ペア（１７）が、一つのセットで連携あるいは連動して1または2以上の係止部材または保持部材（１９）を設けて保持機能を備え、
前記１セット以上の係止ペア（１７）が、連携あるいは連動して設置アイテム（１８）を自由な位置に係止または保持可能である移動式係止構造（１）を備え、
前記可撓性シート部材（１０）は、シート吊り具（２９）を備え、
壁や吊設可能な支持材に設置可能に多目的な設置アイテムを保持可能に、
前記移動式係止構造（１）を備え
前記設置アイテム（１８）が中空状または、台状または、シート状の滑り台であることを特徴とする収納ユニット。 
【請求項２４】
前記設置アイテムが、1つ以上の表示札（３９）または、スライダー（７１）間の間隔を規制する間隔規制具（９１）を設けたことを特徴とする請求項１６から請求項２３のいずれかに記載の保持ユニットまたは収納ユニット。   
【請求項２５】
前記設置アイテム（１８）が案内表示物（１２０）であることを特徴とする請求項１６または請求項１７に記載の保持ユニット。
【請求項２６】
前記係止ペア（１７）が、前記可撓性シート部材（１０）の両面に設けられたことを特徴とする請求項１６から請求項１９のいずれかに記載の保持ユニットまたは収納ユニット。
【請求項２７】
前記、可撓性シート部材（１０）がカーテン（８９）であることを特徴とする請求項１６から請求項１９のいずれかに記載の保持ユニットまたは収納ユニット。
【請求項２８】
前記、可撓性シート部材（１０）が傘用吊設シート（１０２）であることを特徴とする請求項１６から請求項１９のいずれかに記載の保持ユニットまたは収納ユニット。
【請求項２９】
前記、傘用吊設シート（１０２）の傘（１０４）が、柄を下にして設けることが可能であることを特徴とする請求項２８に記載の保持ユニットまたは収納ユニット。
【請求項３０】
前記、保持ユニットまたは収納ユニットが、水受けポケット（１０３）を設けていることを特徴とする請求項１６から請求項２９のいずれかに記載の保持ユニットまたは収納ユニット。
【請求項３１】
前記、水受けポケット（１０３）が、前記保持ユニットまたは収納ユニットの上側、あるいは下側、あるいは左右側に設けていることを特徴とする請求項3０に記載の保持ユニットまたは収納ユニット。
【請求項３２】
前記、保持ユニットまたは収納ユニットの前面あるいは背面に、１つまたはそれ以上のカバー材（１１１）が設けられていることを特徴とする請求項１６から請求項3１のいずれかに記載の保持ユニットまたは収納ユニット。
【請求項３３】
前記カバー材（１１１）が、設置アイテム（１８）に設置アイテム開口部（１１２）がある場合に、該設置アイテム開口部（１１２）を覆うように設けられていることを特徴とする請求項3２に記載の保持ユニットまたは収納ユニット。
【手続補正２】
【補正対象書類名】明細書
【補正対象項目名】００４２
【補正方法】変更
【補正の内容】
【００４２】
また、本発明は、前記カバー材の一部が、前記設置アイテム開口部内に入れられて設けられている構成を採用することもできる。
また、本発明は、前記何れかに記載された構成にて製造される製造方法で製造される手段での保持ユニットまたは収納ユニットまたは移動式係止構造とすることもできる。  
【手続補正３】
【補正対象書類名】明細書
【補正対象項目名】００５４
【補正方法】変更
【補正の内容】
【００５４】
また、係る保持部材（１９）であるリングは、２個のスライダー７１の連結の為の、連結部材（２８）の機能を兼ねた構成となっており、連結して連携して機能することによって自由にファスナー７０上を移動可能な連結部材の構成の例となっている。